(57)【要約】【課題】住人の異変検出を、低コストかつ簡易な構成で実現することが可能な住宅監視システムを提供する。【解決手段】監視対象となる住人が所持する発信機１０１の発信信号の電力レベルを受信機１０２ａ、１０２ｂおよび１０２ｃにて検出する。センサ制御部１０３は、上記検出した受信レベルの変動で住人の動きの有無で住人に生じた異常の発生の有無を判定や、住人の外出もしくは発信機１０１のバッテリ切れを検出する。これらの検出結果は、主制御装置２００の制御部２０３に通知され、通知された情報を表示部２０１に表示したり、警報部２０２を通じて警報を発令するようにしたものである。【選択図】    図１
2005011220.tif 000002
【特許請求の範囲】
【請求項１】
住人が所持する発信機から送信された無線信号を受信する受信手段と、
この受信手段が受信した無線信号の信号強度の変動を検出するレベル変動検出手段と、
このレベル変動検出手段が検出した信号強度の変動に基づいて、住人の異常を報知する報知手段とを具備することを特徴とする住宅監視システム。
【請求項２】
前記報知手段は、前記レベル変動検出手段が検出した信号強度の変動が所定の範囲内の場合に、住人に異常が生じたことを報知する請求項１に記載の住宅監視システム。
【請求項３】
前記受信手段は、住宅内に分散配置された複数の受信機を備え、
前記レベル変動検出手段は、これらの受信機が受信した無線信号の信号強度の変動をそれぞれ検出し、
前記報知手段は、前記レベル変動検出手段が検出した信号強度の変動のうち、少なくとも１つが増加し、かつ少なくとも１つが減少した場合に、住人に異常がないことを報知する請求項１に記載の住宅監視システム。
【請求項４】
前記受信手段は、住宅内に分散配置された複数の受信機を備え、
前記レベル変動検出手段は、これらの受信機が受信した無線信号の信号強度の変動をそれぞれ検出し、
前記報知手段は、前記レベル変動検出手段が検出した信号強度の変動のすべてが所定の範囲内の場合に、住人に異常が生じたことを報知する請求項１に記載の住宅監視システム。
【請求項５】
前記受信手段は、住宅内に分散配置された複数の受信機を備え、
前記レベル変動検出手段は、これらの受信機が受信した無線信号の信号強度の変動をそれぞれ検出し、
前記報知手段は、前記レベル変動検出手段が検出した信号強度の変動のすべてが減少した場合に、住人が外出したことを報知する請求項１に記載の住宅監視システム。
【請求項６】
前記受信手段は、住宅内に分散配置された複数の受信機を備え、
前記レベル変動検出手段は、これらの受信機が受信した無線信号の信号強度の変動をそれぞれ検出し、
前記報知手段は、前記レベル変動検出手段が検出した信号強度の変動のすべてが減少した場合に、発信機の電池が消耗したことを報知する請求項１に記載の住宅監視システム。
【請求項７】
前記受信手段は、前記無線信号に含まれる発信機の識別情報を検出する識別情報検出手段を備え、
前記レベル変動検出手段は、前記識別情報検出手段が検出した識別情報に基づいて、所定の発信機から受信した無線信号の信号強度の変動を検出することを特徴とする請求項１乃至請求項６のいずれかに記載の住宅監視システム。
【発明の詳細な説明】
【０００１】
【発明の属する技術分野】
この発明は、例えば集合住宅等に設置され、高齢者等の住人に生じうる異常を検出する住宅監視システムに関する。
【０００２】
【従来の技術】
周知のように、従来の住宅監視システムは、高齢者などの住人が無線機能付きのキーホルダを所持し、このキーホルダから発せられる無線信号を受信する受信器を住宅内に設置しておく。そして、受信器が上記無線信号を受信することで在宅していることを検出する。また、水道の使用状況を検知して、住人の異変を検出するようになっていた（例えば特許文献１）。
【０００３】
しかしながら、上記構成による従来の住宅監視システムでは、住人の異変を検出するには、無線信号の受信と水道の使用状況などを合わせて検出する必要があり、大がかりなシステムとなってしまうという問題があった。
【０００４】
【特許文献１】
特開２０００−２６８２７３公報。
【０００５】
【発明が解決しようとする課題】
従来の住宅監視システムでは、住人の異変を検出するには、無線信号の受信と水道の使用状況などを合わせて検出する必要があり、コストも高く煩雑なシステムとなってしまうという問題があった。
【０００６】
この発明は上記の問題を解決すべくなされたもので、住人の異変検出を低コストかつ簡易な構成で実現することが可能な住宅監視システムを提供することを目的とする。
【０００７】
【課題を解決するための手段】
上記の目的を達成するために、この発明は、住人が所持する発信機から送信された無線信号を受信する受信手段と、この受信手段が受信した無線信号の信号強度の変動を検出するレベル変動検出手段と、このレベル変動検出手段が検出した信号強度の変動に基づいて、住人の異常を報知する報知手段とを具備して構成するようにした。
【０００８】
上記構成の住宅監視システムでは、監視対象となる住人が所持する発信機から送信される無線信号の信号強度変動を検出し、この検出した結果に基づいて住人の異常を判定し報知するようにしている。
したがって、上記構成の住宅監視システムによれば、水道の使用状況のような生活設備などを合わせて監視する必要がないので、住人の異変検出を低コストかつ簡易な構成で実現することができる。
【０００９】
【発明の実施の形態】
以下、図面を参照して、この発明の一実施形態について説明する。
図１は、この発明の一実施形態に係わる住宅監視システムの構成を示すものである。ここでは、集合住宅ＡＭに適用した場合を例に挙げて説明するが、複数の戸建て住宅に適用することも可能である。
【００１０】
この住宅監視システムは、監視対象となる住人が所持する発信機１０１と、各住宅に設置される戸別装置１００１〜１００ｎと、管理人室に設置される主制御装置２００とを備え、戸別装置１００１〜１００ｎは専用の回線により主制御装置２００に収容されている。
【００１１】
発信機１０１は、図１に示すように、発振回路１１、メモリ１２、変調回路１３、ＲＦアンプ１４およびアンテナ１５を備える。発振回路１１は、所定の周波数の搬送波信号を生成する。メモリ１２には、各住宅の発信機毎に固有に割り当てられたＩＤデータが記憶されている。
【００１２】
変調回路１３では、メモリ１２から読み出されたＩＤデータで上記搬送波信号を変調し、ＲＦアンプ１４に出力する。ＲＦアンプ１４は、変調回路１３の変調結果を高周波増幅し、アンテナ１５より空間に放射する。なお、発信機１０１から送信される信号は、例えば１秒など所定の間欠周期で送信される。
【００１３】
戸別装置１００１〜１００ｎは、それぞれ受信機１０２ａ、１０２ｂおよび１０２ｃと、センサ制御部１０３とを備える。
受信機１０２ａ、１０２ｂおよび１０２ｃは、それぞれ図２に示すように、アンテナ２１、同調回路２２、ＲＦアンプ２３、発振回路２４、ミキサ２５、中間周波数フィルタ２６、復調回路２７、Ａ／Ｄ変換器２８およびレベル検出回路２９を備え、発信機１０１からの無線信号を受信する。
【００１４】
発信機１０１から送信された無線信号は、アンテナ２１を介して同調回路２２に入力される。そして、同調回路２２にて、所定の周波数の信号が抽出され、ＲＦアンプ２３で増幅された後、ミキサ２５に出力される。ミキサ２５では、ＲＦアンプ２３の出力と、発振回路２４にて生成されたローカル信号とがミキシングされて中間周波数信号が得られる。
【００１５】
この中間周波数信号は、中間周波数フィルタ２６を介したのち、復調回路２７で二乗検波され、Ａ／Ｄ変換器（Ａ／Ｄ）２８でディジタル信号に変換される。また、復調回路２７では、上記検波結果を復号してＩＤデータが検出される。このＩＤデータは、センサ制御部１０３に出力される。またレベル検出回路２９は、中間周波数フィルタ２６を介した中間周波数信号の電力レベルを検出し、この検出結果を受信レベルとしてセンサ制御部１０３に出力する。
【００１６】
センサ制御部１０３は、後述する受信レベル判定処理にしたがって、受信機１０２ａ、１０２ｂおよび１０２ｃで検出した受信レベルに基づいて住人の安否や住人の外出を判定し、この判定結果を主制御装置２００に通知する。なお、受信機１０２ａ、１０２ｂおよび１０２ｃの検出結果は、それぞれ所定期間内の複数のサンプルがセンサ制御部１０３内のメモリに記憶される。
【００１７】
主制御装置２００は、各住宅の状況を表示する表示部２０１と、異常の発生を管理人に報知する警報部２０２と、戸別装置１００１〜１００ｎから通知される情報に基づいて、当該主制御装置２００の各部を統括して制御する制御部２０３とを備える。
【００１８】
次に、上記構成の住宅監視システムの動作について説明する。図４は、センサ制御部１０３の動作を説明するためのフローチャートで、各戸別装置１００１〜１００ｎのセンサ制御部１０３が以下に説明するような受信レベル判定処理を実施する。なお、主制御装置２００は、この処理に並行して、制御部２０３から通知される情報を表示部２０１に表示する。
【００１９】
まず、ステップ４ａにおいてセンサ制御部１０３は、受信機１０２ａ、１０２ｂおよび１０２ｃからそれぞれ通知される受信レベルのうち、これとともに通知されるＩＤデータが自己のＩＤと一致するものについてのみ自己が備えるメモリに記録し、ステップ４ｂに移行する。上記メモリには、受信機１０２ａ、１０２ｂおよび１０２ｃ毎にそれぞれに分けて複数個（所定時間）の受信レベルが記憶される。
【００２０】
ステップ４ｂにおいてセンサ制御部１０３は、ステップ４ａで記録した受信機１０２ａ、１０２ｂおよび１０２ｃ毎の所定時間の受信レベルの変動を検出し、ステップ４ｃに移行する。
【００２１】
ステップ４ｃにおいてセンサ制御部１０３は、ステップ４ｂで検出した受信機１０２ａ、１０２ｂおよび１０２ｃの受信レベルの変動のうち、１つの受信機の受信レベル変動が増加傾向にあり、かつ他の１つの受信機の受信レベル変動が減少傾向にあるか否かを判定する。ここで、１つの受信機の受信レベル変動が増加傾向にあり、かつ他の１つの受信機の受信レベル変動が減少傾向にある場合には、ステップ４ｄに移行し、一方、そうでない場合にはステップ４ｅに移行する。
【００２２】
ここで、図５〜図７に示すように、受信機１０２ａ、１０２ｂおよび１０２ｃを分散配置した場合、受信機１０２ａ、１０２ｂおよび１０２ｃの受信レベルの増減について述べる。
図５の矢印で示すように住人が移動した場合、受信機１０２ａおよび１０２ｃの受信レベルは増大し、受信機１０２ｂの受信レベルは減少する。図６の矢印で示すように住人が移動した場合、受信機１０２ａおよび１０２ｃの受信レベルは減少し、受信機１０２ｂの受信レベルは増大する。図７の矢印で示すように住人が移動した場合、受信機１０２ａの受信レベルは減少し、受信機１０２ｂの受信レベルは変化が無く、受信機１０２ｃの受信レベルは増大する。
すなわち、住人が移動すると、ステップ４ｃの判定基準に示すように、少なくとも１つの受信機の受信レベル変動が増加傾向となり、かつ少なくとも他の１つの受信機の受信レベル変動が減少傾向となる。
【００２３】
ステップ４ｄにおいてセンサ制御部１０３は、住人に動きが認められ正常な状態にあることを主制御装置２００に通知し、ステップ４ａに移行する。これに対して主制御装置２００では、制御部２０３が、センサ制御部１０３から上記通知を受けると、該当する住宅を示す識別情報に対応づけて、住人が正常な状態にある旨を示す表示を表示部２０１に行う。
【００２４】
ステップ４ｅにおいてセンサ制御部１０３は、ステップ４ｂで検出した受信機１０２ａ、１０２ｂおよび１０２ｃの受信レベルの変動が、すべて所定の範囲内の変動か否かを判定する。ここで、受信レベルの変動がすべて所定の範囲内の場合には、ステップ４ｆに移行し、一方、そうでない場合にはステップ４ｇに移行する。なお、ここでいう所定の範囲内とは、ノイズなどの影響に基づく変動の範囲を示す。
【００２５】
ステップ４ｆにおいてセンサ制御部１０３は、例えば住人が倒れるなど、住人に異常が生じたものと見なして、主制御装置２００に対して住人異常の発生を通知し、ステップ４ａに移行する。これに対して主制御装置２００では、制御部２０３が、センサ制御部１０３から上記通知を受けると、該当する住宅を示す識別情報に対応づけて、住人に異常が生じた旨を示す表示を表示部２０１に行うとともに、警報部２０２を動作制御して、音や光などにより管理人に対して住人に異常が生じた旨を報知する。
【００２６】
一方、ステップ４ｇにおいてセンサ制御部１０３は、ステップ４ｂで検出した受信機１０２ａ、１０２ｂおよび１０２ｃの受信レベルの変動が、すべて減少傾向にあるか否かを判定する。ここで、受信レベルの変動がすべて減少傾向にある場合には、ステップ４ｈに移行し、一方、そうでない場合にはステップ４ａに移行する。
【００２７】
ステップ４ｈにおいてセンサ制御部１０３は、住人が外出したか、もしくは発信機１０１のバッテリ切れの状態にあることを主制御装置２００に通知し、ステップ４ａに移行する。これに対して主制御装置２００では、制御部２０３が、センサ制御部１０３から上記通知を受けると、該当する住宅を示す識別情報に対応づけて、住人が外出したか、もしくは発信機１０１のバッテリ切れの状態にある旨を示す表示を表示部２０１に行う。
【００２８】
以上のように、上記構成の住宅監視システムでは、監視対象となる住人が所持する発信機１０１の発信信号の電力レベルを受信機１０２ａ、１０２ｂおよび１０２ｃにて検出し、この検出した受信レベルの変動で住人の動きの有無を判定するようにしている。
【００２９】
したがって、上記構成の住宅監視システムによれば、水道の使用状況など他の生活設備（ライフライン）を合わせて検出する必要がないので、住人の異変検出を低コストかつ簡易な構成で実現することができる。
【００３０】
また上記構成の住宅監視システムでは、複数の受信機１０２ａ、１０２ｂおよび１０２ｃで検出した受信レベルの変動で住人の動きの有無を判定するようにしているので、高い精度で住人の動きの有無を判定することができる。
【００３１】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００３２】
その一例として例えば、上記実施の形態では、図４に示した受信レベル判定処理は、各戸別装置１００１〜１００ｎのセンサ制御部１０３が実行するようにして、その判定結果を制御部２０３に通知するようにしたが、これに代わって例えば、戸別装置１００１〜１００ｎが受信レベルやＩＤデータの検出結果を逐一制御部２０３に通知し、これらの情報に基づいて、上記受信レベル判定処理を制御部２０３が実行するようにしてもよい。
【００３３】
また、戸別装置１００１〜１００ｎは専用の回線により主制御装置２００に収容されるものとしたが、これに代わって例えば、戸別装置１００１〜１００ｎおよび主制御装置２００に有線網に収容される電話機や、携帯電話機などの無線接続を行う無線通信機を備え、電話網を通じて戸別装置１００１〜１００ｎと主制御装置２００とが通信するようにしてもよい。
【００３４】
また有線あるいは無線のＬＡＮで収容するようにしてもよい。また電話網に限らず、インターネットなどの通信網を利用して、戸別装置１００１〜１００ｎと主制御装置２００とを接続するようにしてもよい。
さらに、上記実施の形態では、住人異常の発生を管理人室で報知するようにしたが、監視対象となる住宅外であれば、通路やロビーなどの共用スペースであってもよい。
その他、この発明の要旨を逸脱しない範囲で種々の変形を施しても同様に実施可能であることはいうまでもない。
【００３５】
【発明の効果】
以上述べたように、この発明では、監視対象となる住人が所持する発信機から送信される無線信号の信号強度変動を検出し、この検出した結果に基づいて住人の異常を判定し報知するようにしている。
したがって、この発明によれば、水道の使用状況のような生活設備などを合わせて監視する必要がないので、住人の異変検出を低コストかつ簡易な構成で実現することが可能な住宅監視システムを提供できる。
【図面の簡単な説明】
【図１】この発明に係わる住宅監視システムの一実施形態の構成を示す回路ブロック図。
【図２】図１に示した住宅監視システムの受信機の構成を示す回路ブロック図。
【図３】図１に示した住宅監視システムの発信機の構成を示す回路ブロック図。
【図４】図１に示した住宅監視システムの受信レベル判定処理を説明するためのフローチャート。
【図５】受信機の配置と、発信機の移動に伴う受信レベルの変化を説明するための図。
【図６】受信機の配置と、発信機の移動に伴う受信レベルの変化を説明するための図。
【図７】受信機の配置と、発信機の移動に伴う受信レベルの変化を説明するための図。
【符号の説明】
１１…発振回路、１２…メモリ、１３…変調回路、１４…アンプ、１５…アンテナ、２１…アンテナ、２２…同調回路、２３…アンプ、２４…発振回路、２５…ミキサ、２６…中間周波数フィルタ、２７…復調回路、２８…Ａ／Ｄ変換器（Ａ／Ｄ）、２９…レベル検出回路、１０１…発信機、１０２ａ…受信機、１０２ｂ…受信機、１０２ｃ…受信機、１０３…センサ制御部、２００…主制御装置、２０１…表示部、２０２…警報部、２０３…制御部、１００１〜１００ｎ…戸別装置、ＡＭ…集合住宅。
【図１】
2005011220.tif 000003
【図２】
2005011220.tif 000004
【図３】
2005011220.tif 000005
【図４】
2005011220.tif 000006
【図５】
2005011220.tif 000007
【図６】
2005011220.tif 000008
【図７】
2005011220.tif 000009